(57)【要約】  ガス容積（１８）を封入する、封止端（２０）を有する本質的に円筒形のＵＶ透明ランプ体（１５）を持つ細長いガス放電ランプ、但しランプ体（１５）は、長手方向軸（２）を規定し、かつ外部直径を有する；ランプ体（１５）を包囲する、内部直径を有するＵＶ透明スリーブ管（１６）、但し内部直径は、ランプ体（１５）の外部直径より大きい；及びランプ体（１５）とスリーブ管（１６）の間に挿入された少なくとも一つの減衰リング（１）；を含むＵＶ照射ユニットにおいて、減衰リング（１）が、第一側部要素（３）及び第二側部要素（４）、並びに第一側部要素（３）と第二側部要素（４）を物理的に接続する少なくとも一つの接続要素（６）を含み、長手方向軸（２）の方向の軸方向距離が、第一側部要素（３）と第二側部要素（４）の間に与えられている。【選択図】  図５
2019511807.tif 000002
【特許請求の範囲】
【請求項１】
ガス容積（１８）を封入する、封止端（２０）を有する本質的に円筒形のＵＶ透明ランプ体（１５）を持つ細長いガス放電ランプ、但しランプ体（１５）は、長手方向軸（２）を規定し、かつ外部直径を有する、
ランプ体（１５）を包囲する、内部直径を有するＵＶ透明スリーブ管（１６）、但し内部直径は、ランプ体（１５）の外部直径より大きい、及び
ランプ体（１５）とスリーブ管（１６）の間に挿入された少なくとも一つの減衰リング（１）
を含むＵＶ照射ユニットにおいて、
減衰リング（１）が、第一側部要素（３）及び第二側部要素（４）、並びに第一側部要素（３）と第二側部要素（４）を物理的に接続する少なくとも一つの接続要素（６）を含み、長手方向軸（２）の方向の軸方向距離が、第一側部要素（３）と第二側部要素（４）の間に与えられていることを特徴とするＵＶ照射ユニット。
【請求項２】
減衰リング（１）が、少なくとも一つの半径方向の内側に面する表面（３ａ，４ａ）を有し、その表面がランプ体（１５）の外部表面と摩擦係合していることを特徴とする請求項１に記載のＵＶ照射ユニット。
【請求項３】
少なくとも一つの接続部分（６）が、リング（１）の最大直径の部分を構成することを特徴とする請求項１又は２に記載のＵＶ照射ユニット。
【請求項４】
リング（１）の直径が、接続部分（６）がスリーブ管（１６）に接触するか、又は１ｍｍ未満の間隙が接続部分（６）とスリーブ管（１６）の内部表面の間に与えられるようにスリーブ管（１６）の内部直径に整合されていることを特徴とする請求項１〜３のいずれかに記載のＵＶ照射ユニット。
【請求項５】
ランプ体（１５）とのリング（１）の摩擦係合が、リング（１）とランプ体（１５）の間の静摩擦がリング（１）とスリーブ管（１６）の間の静摩擦より大きいようにスリーブ管（１６）とリング（１）の摩擦係合に対して釣り合されていることを特徴とする請求項１〜４のいずれかに記載のＵＶ照射ユニット。
【請求項６】
複数の接続部分（６）が与えられていること、及び開口（１０）が複数の接続部分（６）の間に与えられ、開口（１０）がランプ体（１５）からスリーブ管（１６）への半径方向のＵＶ光の透過を可能にすることを特徴とする請求項１〜５のいずれかに記載のＵＶ照射ユニット。
【請求項７】
接続部分（６）がアーチ形状であり、かつ各側部要素に取り付けられており、接続部分（６）が円周方向に基本幅を有すること、及び接続部分（６）の基本幅が、二つの側部要素（３，４）間の中央に位置にされる点で最小値を有することを特徴とする請求項１〜６のいずれかに記載のＵＶ照射ユニット。
【請求項８】
接続部分（６）の最小幅の点がまた、リング（１）の最大外部直径の点であることを特徴とする請求項７に記載のＵＶ照射ユニット。
【請求項９】
リング（１）の半径方向の内側に面する表面（３ａ，４ａ）が凹所（８，９）を持ち、それらが、内側に面する表面（３ａ，４ａ）がランプ体（１５）に接触しない空間を構成することを特徴とする請求項１〜８のいずれかに記載のＵＶ照射ユニット。
【請求項１０】
長手方向軸（２）を有するランプ体（１５）とＵＶ照射ユニットのスリーブ管（１６）の間の間隙において前記スリーブ管（１６）における前記ランプ体（１５）の芯合わせのための減衰リング（１）の使用であって、減衰リング（１）が、第一側部要素（３）及び第二側部要素（４）、並びに第一側部要素（３）と第二側部要素（４）を物理的に接続する少なくとも一つの接続要素（６）を含み、長手方向軸（２）の方向の軸方向距離が、第一側部要素（３）と第二側部要素（４）の間に与えられていることを特徴とする使用。
【請求項１１】
少なくとも一つの接続部分（６）がリング（１）の最大外部直径の部分を構成することを特徴とする請求項１０に記載の使用。
【請求項１２】
複数の接続部分（６）が与えられていること、及び開口（１０）が複数の接続部分（６）の間に与えられ、開口（１０）がランプ体（１５）からスリーブ管（１６）への半径方向のＵＶ光の透過を可能にすることを特徴とする請求項１０又は１１記載の使用。
【請求項１３】
接続部分（６）がアーチ形状であり、かつ各側部要素に取り付けられており、接続部分（６）が円周方向に基本幅を有すること、及び接続部分（６）の基本幅が、二つの側部要素（３，４）間の中央に位置にされる点で最小値を有することを特徴とする請求項１０〜１２のいずれかに記載の使用。
【請求項１４】
接続部分（６）の最小幅の点がまた、リング（１）の最大外部直径の点であることを特徴とする請求項１０〜１３のいずれかに記載の使用。
【請求項１５】
リング（１）の半径方向の内側に面する表面（３ａ，４ａ）が凹所（８，９）を持ち、それらが、内側に面する表面（３ａ，４ａ）がランプ体（１５）に接触しない空間を構成することを特徴とする請求項１０〜１４のいずれかに記載の使用。
【発明の詳細な説明】
【技術分野】
【０００１】
本発明は、請求項１の前提文の特徴を有する紫外線（ＵＶ）照射ユニット、及び請求項１０の前提文の特徴を有する減衰リングの使用に関する。
【背景技術】
【０００２】
ガスや特に水のような液体の処理のためのＵＶ照射ユニットが広く知られている。これらのユニットによって生成されるＵＶ放射線は、水、例えば細菌やウイルスを含む飲料水、及び環境に放出される前に殺菌されることが必要である廃水を殺菌するために有用である。ＵＶ放射線はまた、ハロゲン化炭化水素のような特定の化学化合物、水中の薬物の痕跡などを物理的に破壊するために使用されることができる。
【０００３】
紫外線照射の殺菌能力はまた、外来種が港や河川の局所的な水域に侵入することを防止するために船舶から放出されるバラスト水を殺菌するために使用されることができる。
【０００４】
かかるＵＶ照射ユニットは、最も一般的には石英管から作られている本質的に円筒形のランプ体を有する細長いガス放電ランプを含む。両端では、ランプ体は、封止され、かつ電極を持つ。ランプの内部は、ガスを充填され、それは、少量の水銀を含む。電極間では、水銀が励起して所望の波長（いわゆる殺菌波長）の紫外線を放出するようにガス放電を行なう容積部がある。
【０００５】
これらのランプは、周囲の水と直接接触することから保護されることが必要であり、それは、主に効率的なＵＶ出力のために特定の温度間隔で維持される必要がある操作温度のためであるが、ランプのＵＶ出力を減少する非透明材料による表面の潜在的汚染のためでもある。最後に、ランプ自体は、機械的損傷から保護されるべきである。この目的のため、ＵＶ透明性の石英材料から製造されるスリーブ管は、ＵＶランプを包囲し、ランプが処理される流体と接触することを防止する。
【０００６】
スリーブ管の内部のランプの位置は、操作状態に幾らか影響を有する。スリーブ管を冷水が包囲する場合には、スリーブ管の近傍にランプの領域が全く入らないようにランプをスリーブ管の中央に、即ち同心に位置することが役立つ。なぜならかかる近傍は、その領域のランプの冷却に導き、ランプの内部の水銀蒸気圧の減少に至るからである。これは、ＵＶ出力を減少しうる。
【０００７】
主に振動又は衝撃事象から生じる機械的応力の場合、ランプがスリーブ管に当たること（それは、スリーブ管、ランプ、又は両方の破壊を起こしうる）を防止するために何らかの保護をしなければならない。
【０００８】
機械的応力事象に導くかかる操作状態は、紫外線ランプユニットがモバイル殺菌もしくは汚染除去のための災害領域での使用のための容器のような携帯機器もしくはモバイル機器に、又はバラスト水の放出時の船舶に使用されるなら起こる。なぜなら、振動しているポンプ及び管があるかもしれず、それらが振動をランプユニットに付与することがあるためであり、及び水の流れ自体の高い速度のためである。
【０００９】
芯合わせ又は減衰リングによってスリーブ管の内部で芯合わせされる紫外線ランプの一例は、米国特許第５１６６５２７号から知られており、それは、最も近い先行技術と考えられる。この文献では、好ましくは合成プラスチック材料の芯合わせリングは、ランプ体であるアーク管上に位置される。リングは、管を共軸で包囲し、管と摩擦係合して支持し、スリーブ内で管の芯合わせを助ける。
【００１０】
この装置は、スリーブの内部でランプを芯合わせするために有用であるが、プラスチック材料もしくはゴムのリング又は同種の装置が特にモバイル用途において機械的損傷からランプを保護するためには十分でないことが見出されている。
【発明の概要】
【００１１】
従って、本発明の目的は、衝撃及び振動に対する機械的抵抗性が改善されたＵＶランプユニットを与えることにある。本発明の別の目的は、ランプ体と石英管との間に配置される新規の減衰リングであって、機械的応力を吸収することができ、同時に操作条件下で耐久性である減衰リングを提供することにある。
【００１２】
これらの目的は、請求項１の特徴を有するＵＶランプユニット、及び請求項１０の特徴を有する減衰リングによって達成される。
【００１３】
衝撃及び振動の効果的な減衰は、減衰リングが、第一側部要素及び第二側部要素、並びに第一側部要素と第二側部要素を物理的に接続する少なくとも一つの接続要素を含み、長手方向軸の方向の軸方向距離が、第一側部要素と第二側部要素の間に与えられていることによって達成される。この構成において、リングは、荷重下で曲がるか又は圧縮することができ、かつそれにもかかわらず、耐久性のある形状のものである。
【００１４】
好ましくは、二つの側部要素は、環状又はリング形状であり、特に、平坦な基本構成のものである。さらに好ましくは、環状又はリング形状の側部要素は、ランプ体が側部要素中に導入されることができ、従って側部要素がランプ体を包囲することができるような寸法のものである。好ましくは、側部要素（より正確には、側部要素の内部表面）とランプ体との間の間隙は、極めて小さいか又はゼロであり、従って、ランプ体は、振動又はゆさぶりなどの機械的応力下で側部要素の半径方向の内側に動くことができない。
【００１５】
好ましくは、減衰リングは、少なくとも一つの半径方向の内側に面する表面を有し、その表面は、ランプ体の外部表面と摩擦係合している。これにより、組み立て及び操作中に、リングは、要求された通りの位置に配置されることができ、その位置に留まることができる。
【００１６】
好ましい実施形態では、少なくとも一つの接続部分は、リングの最大直径の部分を構成する。この場合、増大した可撓性が達成される。
【００１７】
好ましくは、リングの直径は、接続部分がスリーブ管に接触するか、又は１ｍｍ未満の間隙が接続部分とスリーブ管の内部表面の間に与えられるようにスリーブ管の内部直径に整合されている。この場合、スリーブ管の内部でのランプ体の同心芯合わせが最適化される。
【００１８】
好ましい実施形態では、ランプ体とのリングの摩擦係合は、リングとランプ体の間の静摩擦がリングとスリーブ管の間の静摩擦より大きいようにスリーブ管とリングの摩擦係合に対して釣り合されている。これにより、ランプ体上のリングの位置は、スリーブ管中にランプ体を設置するときに信頼性を持って維持される。
【００１９】
好ましい実施形態では、複数の接続部分が与えられており、開口が複数の接続部分の間に与えられ、開口は、ランプ体からスリーブ管への半径方向のＵＶ光の透過を可能にする。この場合、リングの領域でのＵＶ損失が減少され、従って、ユニットの効率が増大される。
【００２０】
好ましい実施形態では、接続部分は、アーチ形状であり、かつ各側部要素に取り付けられており、接続部分は、円周方向に基本幅を有し、接続部分の基本幅は、二つの側部要素間の中央に位置にされる点で最小値を有する。この特徴は、リングの弾性の連続的な特徴を可能にする。
【００２１】
好ましくは、接続部分の最小幅の点はまた、リングの最大外部直径の点である。この場合、スリーブ管とリングの接触時の摩擦が最小化される。
【００２２】
好ましい実施形態では、リングの半径方向の内側に面する表面は、凹所を持ち、それらは、内側に面する表面がランプ体に接触しない空間を構成する。この特徴により、電線は、ランプ体の自由端から電気ソケットまで、ランプ体とスリーブ管の間の間隙を通して案内されることができ、電線は、電線の特定の位置を確実にするために凹所中に配置されることができる。
【００２３】
スリーブ管の内部にランプ体を芯合わせして減衰させるための、ＵＶ照射ユニットのランプ体とスリーブ管の間の間隙における減衰リングの使用において、積極的な弾性及び減衰特性が達成される。なぜなら、第一側部要素及び第二側部要素、並びに第一側部要素と第二側部要素を物理的に接続する少なくとも一つの接続要素が与えられており、長手方向軸の方向の軸方向距離が、第一側部要素と第二側部要素の間に与えられているからである。
【００２４】
好ましくは、少なくとも一つの接続部分は、リングの最大外部直径の部分を構成する。従って、リングの弾性が改善される。
【００２５】
好ましくは、複数の接続部分が与えられており、開口が複数の接続部分の間に与えられ、開口は、ランプ体からスリーブ管への半径方向のＵＶ光の透過を可能にする。このようにして、リングは、半径方向のＵＶ光の透過を望ましくない程度にまでは阻害しない。
【００２６】
もし接続部分がアーチ形状であり、かつ各側部要素に取り付けられており、接続部分が円周方向に基本幅を有し、接続部分の基本幅が、二つの側部要素間の中央に位置にされる点で最小値を有するなら、半径方向における連続的なバネ特性が達成される。
【００２７】
好ましくは、接続部分の最小幅の点はまた、リングの最大外部直径の点である。これにより、半径方向の初期圧縮時にリングがより柔軟になる。
【００２８】
好ましい実施形態では、リングの半径方向の内側に面する表面は、凹所を持ち、それらは、内側に面する表面がランプ体に接触しない空間を構成する。これは、ＵＶランプユニット中へのリングのより柔軟な設置の選択肢を可能にする。
【図面の簡単な説明】
【００２９】
以下、本発明の好ましい実施形態が図面を参照して記述される。
【図１】図１は、減衰リングの透視図である。
【図２】図２は、軸方向で見た、図１の減衰リングを示す。
【図３】図３は、図２の線ＩＩＩ−ＩＩＩに沿った断面図での図１及び図２の減衰リングを示す。
【図４】図４は、図２の線ＩＶ−ＩＶに沿った断面図での図２の減衰リングを示す。
【図５】図５は、ランプユニットの模式図であり、そこでは、減衰リングを有する部分のみが示されている。
【発明を実施するための形態】
【００３０】
図１は、本発明による減衰リング１を示す。リングは、長手方向軸２に対して本質的に回転対称である。
【００３１】
この幾何学的形状のため、本明細書においては、以下のように方向及び距離を規定することが有用である。即ち、軸２に対して平行な軸方向の位置又は距離、軸２からの半径方向の位置又は距離、及び円周角度位置又は距離が使用される。
【００３２】
リングは、第一円周内部表面３ａを有する第一側部要素３、及び第二円周内部表面４ａを有する第二側部要素４を含み、これらは軸２に向かって面する。外部面５は、軸２の方向において面し、内部表面３ａ及び４ａに対して本質的に直交して配向される。同じことが内部面５ａにも当てはまる。内部面５ａは、外部面５から離れて面する。半径方向外側の方向において、外部面５は、接続部分６に接合されている。接続部分６は、一端では外部面５に接合されており、他端では、外部面７に接合されている。外部面７は、外部面５から離れて面し、内部表面４ａに対して本質的に直交して配向される。さらなる内部面７ａが与えられている。この内部面７ａは、外部面７から離れて面し、内部面５ａに対して平行にかつ内部面５ａから一定の距離をおいて延びる。
【００３３】
面５，５ａ，７及び７ａは、本質的に平坦である。
【００３４】
接続部分６は、ブリッジ又はアーチ形状であり、それらの外部表面は、凸状である。軸２から接続部分６の最外点までの最大半径の点は、外部面５と外部面７の間の中央にあり、従って内部面３ａと内部面４ａの間の中央である平面の中心に位置する。
【００３５】
この好ましい実施形態では、内部面３ａ及び４ａの領域における壁厚さは、接続部分６の壁厚さより大きく、従って、弾性材料を使用することによって、接続部分６は、増大した可撓性を示す。
【００３６】
外部面５及び６はそれぞれ、凹所８及び９を与えられている。これらの凹所は、切り込まれており、内部面３ａ及び４ａと交差しており、従って、リングの内部直径は、凹所８及び９の領域で増大されている。この特別な実施形態では、凹所は、半円形の形状のものである。
【００３７】
リング１の幾何学的形状は、Ｕ字形の断面を有するリングとして見られることができ、そこでは、断面の開放側は、軸２に向かって面し、Ｕ字形の閉鎖側は、半径方向外側に面する。このとき、接続部分６は、リング１の本体の外部円周に切欠き又は開口１０を与えることによって生成される。この特別な実施形態では、１２個の接続部分６があり、これらは、リング１の外側に沿って互いに等しい角度の距離をおいて分布されている。従って、１２個の切欠き１０がリング１の外部表面に沿って互いに等しい角度の距離をおいて与えられている。
【００３８】
図２は、図１のリング１を通した軸２に対して直交する断面図を示す。リング１の後方部分の内部表面４ａが円形形状であり、凹所９が半円形状であることが見てとれる。凹所９の開放側は、中心軸２に向かって面する。内部表面４ａは、結果として、９０°の角度間隔で交差される。外側では、接続部分６は、それらの半径方向内側に位置するベースから出発して、それらの幅を連続的に減少させ、半径方向外側に位置する点で最小値に到達する。凹所又は切欠き１０は、この代表例では、部分的に円形であり、従って、それらは、例えばフライス削り法を使用して生成されることができる。フライス削り法では、ツールの回転軸は、中心軸２に対して、平行にかつ中心軸２から一定の距離を置いて配置される。
【００３９】
図３は、図２の線ＩＩＩ−ＩＩＩに沿った断面図を示す。この断面図は、内部面５ａと外部面５の間の部分、及び内部面７ａと外部面７の間の部分が、本質的に均一な厚さであることを示す。それとは対称的に、接続部分６は、減少した厚さを有する。
【００４０】
図４は、図２の線ＩＶ−ＩＶに沿った断面図を示す。再び、同一の要素は、同じ参照符号を付与されている。この断面図は、図３の断面図とは異なり、接続部分６と交差しておらず、むしろ、開口１０の領域において複数の接続部分６の間でリングと交差する。
【００４１】
最後に、図５は、減衰リング１が与えられている部分におけるＵＶランプユニットの模式的な代表図を示す。図５の断面図は、図４の配向、つまり図２の線ＩＶ−ＩＶに沿った断面における減衰リング１を示す。リング１の同一の要素は、同じ参照符号を付与されている。
【００４２】
ランプユニットは、ランプ体１５及びスリーブ１６を含む。両方の要素のうちの短い部分のみが図５に示されている。ランプ体１５は、両端２０で封止されており、電極１７を組み込まれている。これらの電極１７は、封止された端に与えられており、密封された内部ランプ容積１８中に延びる。容積１８は、ガス充填物を含む。このガス充填物は、通常、貴ガスと少量の水銀である。ガス圧力は、ランプの特定の構成に依存する。従来技術から公知のように、電極１７が電気エネルギーを好適な形態で供給されるなら、電極１７の間に放電１９が生成されるだろう。ガス放電１９は、最終的にＵＶ照射を生成し、このＵＶ照射は、ＵＶ透明ランプ体１５を通ってランプから放出されることができる。
【００４３】
ランプ体１５は、リング１によって包囲されている。リング１は、ランプ体１５の外部表面と、二つの側部要素３及び３の内部表面３ａ及び４ａを係合させる。好ましい実施形態では、リング１の内部直径及びランプ体１５の外部直径は、リング１がランプ体１５中の定位置に摩擦的に保持されるように調整されている。
【００４４】
リング１とランプ体１５は、長手方向軸２と本質的に同軸的に整列されている。スリーブ１６は、ランプ体１５及びリング１を包囲し、長手方向軸２と整列されており、従って、ランプ体１５は、スリーブ１６の内側に本質的に芯合わせされている。これは、リング１が、その外部接続部分６と共に、スリーブ１６の内部表面まで半径方向に延びることによって達成される。選択肢に依存して、接続部分６の中心におけるリング１の外部直径とスリーブ１６の内部直径は、リング１とスリーブ１６の間にある程度の遊びがあるように整合されることができる。これらの直径は本質的に同一とし、それにより、リング１は、スリーブ１６の内部表面にちょうど接触するようにすることが望ましいかもしれない。また、リング１の外部直径をスリーブ１６の内部直径より大きくして、それにより、リング１が接触領域で変形して、スリーブ１６を摩擦的に保持することが望ましいかもしれない。いずれの場合においても、リング１の外部直径とスリーブ１６の内部直径の間の差は、小さくするべきであり、即ち１ｍｍ未満、好ましくは０．５ｍｍ未満にすべきである。
【００４５】
好ましい実施形態では、リング１は、弾性プラスチック材料、例えばＰＴＦＥから作られている。それは、機械加工されるか、焼結されるか、又は射出成形されることができる。
【００４６】
操作においては、ランプ体１５は、リング１と芯合わせされてリング１中に保持され、リング１は、ランプ体１５を中心に置き、それ自体がスリーブ１６の内部にある。好ましくは、リング１は、ランプ体１５の自由端の近くに与えられており、一方、ランプ体１５の他端は、電気的な接触装置、例えばソケット（図示されず）によって保持されている。従って、リング１は、スリーブ１６の内部のランプ体１５の自由端を中心に置く。機械的な荷重の下では、ランプ体１５は、表面３ａ及び４ａを通してリング１に慣性力を伝達する。次に、リング１は、接触領域における（即ち、接続部分６における）スリーブ１６にこれらの力を伝達する。これらの接続部分６は、小さな表面領域のみにおいて、スリーブ管と接触する。接続部分６の減少された厚さのために、これらの部分は、撓むことができ、バネ／ダンパーの組み合わせとして作用することができる。本発明では、リング１の材料は、弾性変形中にいくらかのエネルギーを吸収することが好ましい。これは、金属製のバネとは反対である。金属製のバネは通常、ほとんどエネルギー吸収を示さず、従って減衰効果をほとんど示さない。
【００４７】
従って、機械的な衝撃又は振動のような外部荷重は、スリーブ１６に対するランプ体１５の限定された動きをもたらし、その結果、ランプ体１５とスリーブ１６の間の直接接触が不可能になる。力及び振動エネルギーは、リング１によって制限されるか又は吸収される。従って、大きな衝撃又は振動による損傷（これは、モバイル用途や、バラスト水の放出中の船舶や、携帯機器においては起こりうる）の危険は、有意に減少される。
【００４８】
一つの選択肢は、図５に示されるようなランプユニットに二つ以上のリング１を与えて、ランプ体１５の自由端のみが支持されるだけではなく、ランプ体の中心又は他の領域も支持されるようにすることである。これは、いわゆる低圧水銀ランプ（これは、通常、１.５メートル以上の長さを有する）では特に有用であるかもしれない。自由端に一つのリング１を有する実施形態は、短いランプ体を有するいわゆる中圧水銀ランプの用途において好まれるかもしれない。
【００４９】
電極１７は、ランプの開始及び操作のために接触されることが必要である。大部分の用途では、ランプは、一端のみから接触される。従って、電極１７からの電気的接続は、電線（図示されず）によって形成され、電線は、ランプ体１７の自由端から電気ソケットによって保持されている他端まで延びる。電線は、ランプ体１５とスリーブ１６の間に延びる。電線は、リング１の凹所８及び９を通して案内され、それは、このようにしてこれらの電線の固定及び配置を容易にする。
【図１】
2019511807.tif 000003
【図２】
2019511807.tif 000004
【図３】
2019511807.tif 000005
【図４】
2019511807.tif 000006
【図５】
2019511807.tif 000007
【国際調査報告】
2019511807.tif 000008
2019511807.tif 000009
2019511807.tif 000010